(57)【要約】【課題】文書が改ざんされたか否かの判断材料をユーザーに提供可能な画像読取装置、画像形成装置、及び画像読取方法を提供すること。【解決手段】画像処理装置は、原稿の搬送経路上における第１読取位置で原稿の画像を読み取る第１画像読取部と、原稿の搬送経路上における第１読取位置よりも原稿の搬送方向の下流側の冷却位置で原稿を第１温度に冷却する冷却部と、原稿の搬送経路上における冷却位置よりも原稿の搬送方向の下流側の第２読取位置で原稿の画像を読み取る第２画像読取部と、を備え、第２画像読取部によって読み取られる第２画像に含まれる第１画像読取部によって読み取られる第１画像とは異なる差分画像を検出し（ステップＳ２１）、差分画像が検出された場合に（ステップＳ２２のＹｅｓ）、その旨を報知する（ステップＳ２８）。【選択図】図９
2018093307.tif 000002
【特許請求の範囲】
【請求項１】
原稿を搬送する搬送部と、
前記搬送部によって搬送される前記原稿の搬送経路上における予め定められた第１読取位置で前記原稿の画像を読み取る第１画像読取部と、
前記搬送経路上における前記第１読取位置よりも前記搬送部による前記原稿の搬送方向の下流側の冷却位置で前記原稿を予め定められた第１温度に冷却する冷却部と、
前記搬送経路上における前記冷却位置よりも前記搬送方向の下流側の第２読取位置で前記原稿の画像を読み取る第２画像読取部と、
前記第２画像読取部によって読み取られる第２画像に含まれる前記第１画像読取部によって読み取られる第１画像とは異なる差分画像を検出する検出処理部と、
前記検出処理部によって前記差分画像が検出された場合に、その旨を報知する報知処理部と、
を備える画像読取装置。
【請求項２】
前記報知処理部は、前記差分画像が検出された旨を報知すると共に前記差分画像を表示部に表示させる、
請求項１に記載の画像読取装置。
【請求項３】
前記差分画像が文字又は数字を含むか否かを判定する第１判定処理部を備え、
前記報知処理部は、前記第１判定処理部によって文字又は数字を含むと判定された前記差分画像を予め定められた表示態様で表示させる、
請求項２に記載の画像読取装置。
【請求項４】
前記第１判定処理部によって文字を含むと判定された前記差分画像が予め定められた特定単語を含むか否かを判定する第２判定処理部を備え、
前記報知処理部は、前記第１判定処理部によって数字を含むと判定された前記差分画像、及び前記第２判定処理部によって前記特定単語を含むと判定された前記差分画像を前記表示態様で表示させる、
請求項３に記載の画像読取装置。
【請求項５】
前記第２判定処理部によって前記特定単語を含むと判定された前記差分画像の前記第２画像上の配置領域に対応する前記第１画像上の参照領域が前記特定単語に関連する予め定められた関連単語を含むか否かを判定する第３判定処理部を備え、
前記報知処理部は、前記第３判定処理部によって前記関連単語を含むと判定された前記参照領域に対応する前記差分画像を前記表示態様で表示させる、
請求項４に記載の画像読取装置。
【請求項６】
前記搬送経路上における前記第２読取位置よりも前記搬送方向の下流側の加熱位置で前記原稿を前記第１温度よりも高い第２温度に加熱する加熱部と、
前記搬送経路上における前記加熱位置よりも前記搬送方向の下流側の第３読取位置で前記原稿の画像を読み取る第３画像読取部と、
前記第３画像読取部によって読み取られる第３画像における前記第２画像上の前記差分画像の配置領域に対応する置換領域に前記差分画像が重畳された重畳画像を生成する生成処理部と、
前記生成処理部によって生成される前記重畳画像を出力する出力処理部と、
を備える請求項１〜５のいずれかに記載の画像読取装置。
【請求項７】
前記冷却部及び前記加熱部が駆動された状態で前記搬送部によって搬送される原稿から前記第１画像、前記第２画像、及び前記第３画像を読み取る読取処理が終了した場合に、前記冷却部の駆動を停止させて、前記冷却部の駆動停止時から予め定められた加熱時間の経過後に前記加熱部の駆動を停止させる駆動制御部と、
前記読取処理の終了時から前記加熱部の駆動停止時までの間、前記搬送部によって搬送される原稿の画像の読み取りを禁止する読取制御部と、
を備える請求項６に記載の画像読取装置。
【請求項８】
請求項１〜７のいずれかに記載の画像読取装置と、
画像データに基づいて画像を形成する画像形成部と、
を備える画像形成装置。
【請求項９】
原稿を搬送する搬送部と、前記搬送部によって搬送される前記原稿の搬送経路上における予め定められた第１読取位置で前記原稿の画像を読み取る第１画像読取部と、前記搬送経路上における前記第１読取位置よりも前記搬送部による前記原稿の搬送方向の下流側の冷却位置で前記原稿を予め定められた第１温度に冷却する冷却部と、前記搬送経路上における前記冷却位置よりも前記搬送方向の下流側の第２読取位置で前記原稿の画像を読み取る第２画像読取部と、を備える画像読取装置で実行される画像読取方法であって、
前記第２画像読取部によって読み取られる第２画像に含まれる前記第１画像読取部によって読み取られる第１画像とは異なる差分画像を検出する検出ステップと、
前記検出ステップによって前記差分画像が検出された場合に、その旨を報知する報知ステップと、
を含む画像読取方法。
【発明の詳細な説明】
【技術分野】
【０００１】
本発明は、原稿から画像を読み取る画像読取装置、画像読取装置を備える画像形成装置、及び画像読取方法に関する。
【背景技術】
【０００２】
スキャナーのような画像読取装置では、様々な種類の原稿から画像が読み取られる。例えば、画像読取装置では、加熱することで筆跡を消去可能な筆記具を用いて作成された文書の原稿から画像が読み取られることがある。ここで、従来、加熱された原稿から読み取られる画像と、加熱前の原稿から読み取られる画像との比較結果に基づいて、その原稿の作成に前記筆記具が用いられたか否かを判定可能な装置が知られている。
【先行技術文献】
【特許文献】
【０００３】
【特許文献１】特開２０１６−９０９４７号公報
【発明の概要】
【発明が解決しようとする課題】
【０００４】
ところで、前記筆記具を用いて文書の改ざんが行われるおそれがある。ここで、上述の装置では、文書の作成に前記筆記具が用いられたか否かをユーザーに認識させることは可能であっても、前記筆記具による筆跡が消去されて文書が変更されたか否かをユーザーに認識させることはできない。そのため、ユーザーに、筆跡消去後の文書の変更が文書の改ざんに当たるか否かを判断させることができない。
【０００５】
本発明の目的は、文書が改ざんされたか否かの判断材料をユーザーに提供可能な画像読取装置、画像形成装置、及び画像読取方法を提供することにある。
【課題を解決するための手段】
【０００６】
本発明の一の局面に係る画像読取装置は、搬送部と、第１画像読取部と、冷却部と、第２画像読取部と、検出処理部と、報知処理部と、を備える。前記搬送部は、原稿を搬送する。前記第１画像読取部は、前記搬送部によって搬送される前記原稿の搬送経路上における予め定められた第１読取位置で前記原稿の画像を読み取る。前記冷却部は、前記搬送経路上における前記第１読取位置よりも前記搬送部による前記原稿の搬送方向の下流側の冷却位置で前記原稿を予め定められた第１温度に冷却する。前記第２画像読取部は、前記搬送経路上における前記冷却位置よりも前記搬送方向の下流側の第２読取位置で前記原稿の画像を読み取る。前記検出処理部は、前記第２画像読取部によって読み取られる第２画像に含まれる前記第１画像読取部によって読み取られる第１画像とは異なる差分画像を検出する。前記報知処理部は、前記検出処理部によって前記差分画像が検出された場合に、その旨を報知する。
【０００７】
本発明の他の局面に係る画像形成装置は、前記画像読取装置と、画像形成部と、を備える。前記画像形成部は、画像データに基づいて画像を形成する。
【０００８】
本発明の他の局面に係る画像読取方法は、原稿を搬送する搬送部と、前記搬送部によって搬送される前記原稿の搬送経路上における予め定められた第１読取位置で前記原稿の画像を読み取る第１画像読取部と、前記搬送経路上における前記第１読取位置よりも前記搬送部による前記原稿の搬送方向の下流側の冷却位置で前記原稿を予め定められた第１温度に冷却する冷却部と、前記搬送経路上における前記冷却位置よりも前記搬送方向の下流側の第２読取位置で前記原稿の画像を読み取る第２画像読取部と、を備える画像読取装置で実行され、検出ステップと、報知ステップと、を含む。前記検出ステップでは、前記第２画像読取部によって読み取られる第２画像に含まれる前記第１画像読取部によって読み取られる第１画像とは異なる差分画像が検出される。前記報知ステップでは、前記検出ステップによって前記差分画像が検出された場合に、その旨が報知される。
【発明の効果】
【０００９】
本発明によれば、文書が改ざんされたか否かの判断材料をユーザーに提供することが可能となる。
【図面の簡単な説明】
【００１０】
【図１】図１は、本発明の実施形態に係る画像処理装置の構成を示す図である。
【図２】図２は、本発明の実施形態に係る画像処理装置のＡＤＦの構成を示す図である。
【図３】図３は、本発明の実施形態に係る画像処理装置のシステム構成を示すブロック図である。
【図４】図４は、本発明の実施形態に係る画像処理装置で読み取られる第１画像の一例を示す図である。
【図５】図５は、本発明の実施形態に係る画像処理装置で読み取られる第２画像の一例を示す図である。
【図６】図６は、本発明の実施形態に係る画像処理装置で読み取られる第３画像の一例を示す図である。
【図７】図７は、本発明の実施形態に係る画像処理装置で検出される差分画像の一例を示す図である。
【図８】図８は、本発明の実施形態に係る画像処理装置で実行される変更検出処理の一例を示すフローチャートである。
【図９】図９は、本発明の実施形態に係る画像処理装置で実行される差分画像検出処理の一例を示すフローチャートである。
【発明を実施するための形態】
【００１１】
以下、添付図面を参照しながら、本発明の実施形態について説明する。なお、以下の実施形態は、本発明を具体化した一例であって、本発明の技術的範囲を限定するものではない。
【００１２】
［画像処理装置１０の構成］
まず、図１〜図３を参照しつつ、本発明の実施形態に係る画像処理装置１０の構成について説明する。ここで、図１は画像処理装置１０の構成を示す断面模式図である。また、図２はＡＤＦ１の構成を示す断面模式図である。なお、図２では、ＡＤＦ１によって搬送される原稿の搬送経路Ｒが一点鎖線によって示されている。また、図３では、画像処理装置１０の外部の構成要素である冷却装置１４Ａが破線によって示されている。
【００１３】
画像処理装置１０は、原稿から画像データを読み取るスキャン機能、及び画像データに基づいて画像を形成するプリント機能と共に、ファクシミリ機能、及びコピー機能などの複数の機能を有する複合機である。
【００１４】
図１及び図３に示されるように、画像処理装置１０は、ＡＤＦ（オートドキュメントフィーダー）１、画像読取部２、画像形成部３、給紙部４、制御部５、操作表示部６、及び記憶部７を備える。
【００１５】
画像形成部３は、画像データに基づいて電子写真方式で画像を形成する。具体的に、画像形成部３は、感光体ドラム、帯電装置、光走査装置、現像装置、転写装置、クリーニング装置、定着装置、及び排紙トレイを備える。給紙部４は、給紙カセット、シート搬送路、及び複数の搬送ローラーを備え、画像形成部３にシートを供給する。画像形成部３は、給紙部４から供給されるシートに、画像データに基づく画像を形成する。画像形成部３による画像形成後のシートは、前記排紙トレイに排出される。なお、画像形成部３は、インクジェット方式などの他の画像形成方式により画像を形成するものであってもよい。
【００１６】
制御部５は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶媒体である。前記ＲＡＭは、前記ＣＰＵが実行する各種の処理の一時記憶メモリー（作業領域）として使用される揮発性の記憶媒体である。前記ＥＥＰＲＯＭは、不揮発性の記憶媒体である。制御部５では、前記ＣＰＵにより前記ＲＯＭに予め記憶された各種の制御プログラムが実行される。これにより、画像処理装置１０が制御部５により統括的に制御される。なお、制御部５は、集積回路（ＡＳＩＣ）などの電子回路で構成されたものであってもよく、画像処理装置１０を統括的に制御するメイン制御部とは別に設けられた制御部であってもよい。
【００１７】
操作表示部６は、制御部５からの制御指示に応じて各種の情報を表示する液晶ディスプレーなどの表示部、及びユーザーの操作に応じて制御部５に各種の情報を入力する操作キー又はタッチパネルなどの操作部を有する。
【００１８】
記憶部７は、ＳＳＤ（ソリッドステートドライブ）又はＨＤＤ（ハードディスクドライブ）などの記憶装置である。例えば、記憶部７には、画像読取部２によって読み取られた画像データが記憶される。なお、記憶部７は、制御部５の前記ＥＥＰＲＯＭ等であってもよい。
【００１９】
ＡＤＦ１は、図１及び図２に示される原稿載置部１１に載置される原稿を搬送する。具体的に、ＡＤＦ１は、図１及び図２に示されるように、原稿載置部１１、搬送路１２、搬送ローラー１３〜１５、原稿ガイド１６、及び排紙部１７を備える。また、ＡＤＦ１は、後述する原稿台２１に対して開閉可能に支持されており、原稿台２１のコンタクトガラス２１１に載置される原稿に対する原稿カバーを兼ねている。ここに、ＡＤＦ１が、本発明における搬送部の一例である。
【００２０】
原稿載置部１１には、原稿が載置される。搬送路１２は、ＡＤＦ１によって搬送される原稿の移動通路であって、一対の搬送ガイド部材により形成される。搬送ローラー１３〜１５は、搬送路１２に設けられる。搬送ローラー１３〜１５各々は、不図示のモーターで駆動されることで、原稿載置部１１に載置される原稿を図２に示される搬送方向Ｄ１へ搬送する。原稿ガイド１６は、搬送ローラー１４によって搬送される原稿を原稿台２１のコンタクトガラス２１１上に案内する。排紙部１７には、搬送ローラー１３〜１５によって搬送される原稿が排出される。
【００２１】
画像読取部２は、ＡＤＦ１によって搬送される原稿、及びコンタクトガラス２１１に載置される原稿から画像を読み取る。具体的に、画像読取部２は、図１に示されるように、原稿台２１、読取ユニット２２、ミラー２３、ミラー２４、光学レンズ２５、及びＣＣＤ２６を備える。
【００２２】
原稿台２１は、画像処理装置１０の筐体の上面に設けられる。原稿台２１は、図１に示されるように、コンタクトガラス２１１を備える。コンタクトガラス２１１には、原稿が載置される。
【００２３】
読取ユニット２２は、図１に示されるように、コンタクトガラス２１１の下側に設けられる。読取ユニット２２は、ステッピングモーター等の駆動部を有する不図示の移動機構によって、副走査方向（図１における紙面左右方向）へ移動可能に構成されている。読取ユニット２２は、図１に示されるように、光源２２１及びミラー２２２を備える。
【００２４】
光源２２１は、主走査方向（図１における紙面奥行方向）に沿って配列された複数の白色ＬＥＤである。光源２２１は、コンタクトガラス２１１へ向けて前記主走査方向の１ライン分の白色光を射出する。光源２２１から射出された光は、コンタクトガラス２１１を透過して、コンタクトガラス２１１に載置された原稿又はＡＤＦ１によって搬送される原稿に照射される。ミラー２２２は、光源２２１から射出されて原稿で反射された光をミラー２３へ反射させる。
【００２５】
画像読取部２では、コンタクトガラス２１１に載置された原稿から画像データが読み取られる場合、読取ユニット２２が前記移動機構によって前記副走査方向へ移動される。これにより、光源２２１から射出されて原稿に照射される光が前記副走査方向へ走査される。また、画像読取部２では、ＡＤＦ１によって搬送される原稿から画像データが読み取られる場合、読取ユニット２２が前記移動機構によってＡＤＦ１の原稿ガイド１６との対向位置へ移動される。これにより、光源２２１から射出されてコンタクトガラス２１１を透過する光が、ＡＤＦ１によって搬送される原稿に照射される。ここに、ＡＤＦ１によって搬送される原稿の搬送経路Ｒ上における読取ユニット２２による光の照射位置Ｐ３（図２参照）が、本発明における第２読取位置の一例である。また、画像読取部２が、本発明における第２画像読取部の一例である。なお、以下においては、画像読取部２によって読み取られる画像を第２画像と呼称する。
【００２６】
ミラー２３は、読取ユニット２２のミラー２２２で反射された光をミラー２４へ反射させる。ミラー２４は、ミラー２３で反射された光を光学レンズ２５へ反射させる。光学レンズ２５は、ミラー２４で反射された光を集光してＣＣＤ２６へ入射させる。
【００２７】
ＣＣＤ２６は、前記主走査方向に沿って配列された複数の光電変換素子を有するイメージセンサーである。ＣＣＤ２６は、受光した光の光量に応じた電気信号を出力する。画像読取部２では、光源２２１から射出されて原稿で反射された光がミラー２２２、ミラー２３、ミラー２４、及び光学レンズ２５を経由してＣＣＤ２６に入射される。これにより、ＣＣＤ２６から原稿の画像に対応するアナログの電気信号が出力される。ＣＣＤ２６から出力されるアナログの電気信号は、不図示のアナログフロントエンド回路によりデジタルの電気信号（画像データ）に変換されて、制御部５に入力される。
【００２８】
画像処理装置１０では、様々な種類の原稿から画像が読み取られる。例えば、画像処理装置１０では、加熱することで筆跡を消去可能な筆記具を用いて作成された文書の原稿から画像が読み取られることがある。ここで、従来、加熱された原稿から読み取られる画像と、加熱前の原稿から読み取られる画像との比較結果に基づいて、その原稿の作成に前記筆記具が用いられたか否かを判定可能な装置が知られている。
【００２９】
ところで、前記筆記具を用いて文書の改ざんが行われるおそれがある。ここで、上述の装置では、文書の作成に前記筆記具が用いられたか否かをユーザーに認識させることは可能であっても、前記筆記具による筆跡が消去されて文書が変更されたか否かをユーザーに認識させることはできない。そのため、ユーザーに、筆跡消去後の文書の変更が文書の改ざんに当たるか否かを判断させることができない。
【００３０】
これに対し、本発明の実施形態に係る画像処理装置１０では、以下に説明するように、文書が改ざんされたか否かの判断材料をユーザーに提供することが可能である。
【００３１】
具体的に、画像処理装置１０は、図３に示されるように、接続部８を備える。また、ＡＤＦ１は、図２及び図３に示されるように、熱源１５Ａ、第１撮像素子１８、及び第２撮像素子１９を備える。
【００３２】
第１撮像素子１８は、図２に示されるように、搬送経路Ｒ上における照射位置Ｐ３よりも搬送方向Ｄ１の上流側に設けられ、ＡＤＦ１によって搬送される原稿の画像を読み取る。具体的に、第１撮像素子１８は、発光部及び受光部を備えるＣＩＳなどのイメージセンサーである。第１撮像素子１８の発光部は、搬送経路Ｒへ向けて光を射出する。第１撮像素子１８の受光部は、第１撮像素子１８の発光部から射出されてＡＤＦ１によって搬送される原稿で反射された光を受光して受光量に応じた電気信号を出力する。第１撮像素子１８の受光部から出力される電気信号は、不図示のアナログフロントエンド回路によりデジタルの電気信号（画像データ）に変換されて、制御部５に入力される。ここに、搬送経路Ｒ上における第１撮像素子１８の発光部による光の照射位置Ｐ１（図２参照）が、本発明における第１読取位置の一例である。また、第１撮像素子１８が、本発明における第１画像読取部の一例である。なお、以下においては、第１撮像素子１８によって読み取られる画像を第１画像と呼称する。
【００３３】
接続部８は、画像処理装置１０のオプションユニットである冷却装置１４Ａ（図３参照）が接続されるインターフェイスである。冷却装置１４Ａは、搬送経路Ｒ上における照射位置Ｐ１よりも搬送方向Ｄ１の下流側であって、照射位置Ｐ３よりも搬送方向Ｄ１の上流側に設けられる搬送ローラー１４（図２参照）を予め定められた第１温度に冷却する。例えば、冷却装置１４Ａは、冷媒を用いて搬送ローラー１４を前記第１温度に冷却する。なお、冷却装置１４Ａは、ＡＤＦ１の内部に設けられてもよい。
【００３４】
ここで、前記第１温度は、前記筆記具を用いて形成され、加熱によって消去された筆跡を浮かび上がらせることが可能な温度である。即ち、前記筆記具に用いられるインクの色が無色から有色に変化する温度である。例えば、前記第１温度はマイナス２０度である。
【００３５】
例えば、搬送ローラー１４は、本体部及び軸部が金属により一体に形成されている。また、搬送ローラー１４の前記軸部には、前記主走査方向に沿った貫通孔１４Ｂが設けられている。貫通孔１４Ｂには、前記冷媒の循環路の一部を形成する金属製の管が挿通される。冷却装置１４Ａは、前記管を含む前記循環路内で前記冷媒を循環させることで、搬送ローラー１４を冷却する。
【００３６】
ＡＤＦ１によって搬送される原稿は、冷却装置１４Ａによって前記第１温度に冷却された搬送ローラー１４と接触することで前記第１温度に冷却される。ここに、搬送経路Ｒ上における搬送ローラー１４の配置位置Ｐ２（図２参照）が、本発明における冷却位置の一例である。また、搬送ローラー１４、及び冷却装置１４Ａが、本発明における冷却部の一例である。
【００３７】
熱源１５Ａは、搬送経路Ｒ上における照射位置Ｐ３よりも搬送方向Ｄ１の下流側に設けられる搬送ローラー１５（図２参照）の内部に設けられる。熱源１５Ａは、搬送ローラー１５を前記第１温度よりも高い第２温度に加熱する。例えば、熱源１５ＡはＩＨヒーター又はハロゲンヒーターである。
【００３８】
ここで、前記第２温度は、前記筆記具を用いて形成された筆跡を消去可能な温度である。即ち、前記筆記具に用いられるインクの色が有色から無色に変化する温度である。例えば、前記第２温度は５０度である。
【００３９】
ＡＤＦ１によって搬送される原稿は、熱源１５Ａによって前記第２温度に加熱された搬送ローラー１５と接触することで前記第２温度に加熱される。ここに、搬送経路Ｒ上における搬送ローラー１５の配置位置Ｐ４（図２参照）が、本発明における加熱位置の一例である。また、搬送ローラー１５、及び熱源１５Ａが、本発明における加熱部の一例である。
【００４０】
第２撮像素子１９は、図２に示されるように、搬送経路Ｒ上における搬送ローラー１５の配置位置Ｐ４よりも搬送方向Ｄ１の下流側に設けられ、ＡＤＦ１によって搬送される原稿の画像を読み取る。具体的に、第２撮像素子１９は、第１撮像素子１８と同様に、発光部及び受光部を備えるＣＩＳなどのイメージセンサーである。ここに、搬送経路Ｒ上における第２撮像素子１９の発光部による光の照射位置Ｐ５（図２参照）が、本発明における第３読取位置の一例である。また、第２撮像素子１９が、本発明における第３画像読取部の一例である。なお、以下においては、第２撮像素子１９によって読み取られる画像を第３画像と呼称する。
【００４１】
なお、画像処理装置１０に、熱源１５Ａ及び第２撮像素子１９が設けられていなくてもよい。
【００４２】
一方、制御部５の前記ＲＯＭには、前記ＣＰＵに後述の変更検出処理（図８のフローチャート参照）を実行させるための変更検出プログラムが予め記憶されている。なお、前記変更検出プログラムは、ＣＤ、ＤＶＤ、フラッシュメモリーなどのコンピューター読み取り可能な記録媒体に記録されており、前記記録媒体から読み取られて制御部５の前記ＥＥＰＲＯＭなどにインストールされるものであってもよい。
【００４３】
そして、制御部５は、図３に示されるように、読取処理部５１、検出処理部５２、第１判定処理部５３、第２判定処理部５４、第３判定処理部５５、報知処理部５６、生成処理部５７、出力処理部５８、駆動制御部５９、及び読取制御部６０を含む。具体的に、制御部５は、前記ＣＰＵを用いて前記ＲＯＭに記憶されている前記変更検出プログラムを実行する。これにより、制御部５は、読取処理部５１、検出処理部５２、第１判定処理部５３、第２判定処理部５４、第３判定処理部５５、報知処理部５６、生成処理部５７、出力処理部５８、駆動制御部５９、及び読取制御部６０として機能する。ここに、ＡＤＦ１、画像読取部２、制御部５、及び冷却装置１４Ａを備える装置が、本発明における画像読取装置の一例である。また、ＡＤＦ１、画像読取部２、画像形成部３、制御部５、及び冷却装置１４Ａを備える装置が、本発明における画像形成装置の一例である。なお、本発明は、スキャナー装置、ファクシミリ装置、及びコピー機などの画像読取装置又は画像形成装置に適用可能である。
【００４４】
読取処理部５１は、冷却装置１４Ａ及び熱源１５Ａが駆動された状態で、ＡＤＦ１によって搬送される原稿から前記第１画像、前記第２画像、及び前記第３画像を読み取る読取処理を実行する。
【００４５】
具体的に、読取処理部５１は、操作表示部６におけるユーザー操作によって前記読取処理の実行が指示された場合に、冷却装置１４Ａを駆動させて搬送ローラー１４の温度を前記第１温度に冷却させると共に、熱源１５Ａを駆動させて搬送ローラー１５の温度を前記第２温度に加熱させる。例えば、読取処理部５１は、搬送ローラー１４の温度を検出可能な不図示の温度センサーを用いて、冷却装置１４Ａの駆動を制御する。また、読取処理部５１は、搬送ローラー１５の温度を検出可能な不図示の温度センサーを用いて、熱源１５Ａの駆動を制御する。
【００４６】
そして、読取処理部５１は、搬送ローラー１４の温度が前記第１温度となり、且つ搬送ローラー１５の温度が前記第２温度になった後に、ＡＤＦ１、第１撮像素子１８、画像読取部２、及び第２撮像素子１９を用いて、前記読取処理を実行する。
【００４７】
ここで、図４には、前記読取処理によって原稿から読み取られる前記第１画像の一例が示されている。図４に示される第１画像Ｇ１０において、下線が引かれている箇所は、前記筆記具を用いて形成された筆跡である。具体的に、第１画像Ｇ１０において、日付欄、品名欄、単価欄、及び数量欄の記載が前記筆記具を用いて形成された筆跡である。
【００４８】
また、図５には、前記読取処理によって原稿から読み取られる前記第２画像の一例が示されている。図５に示される第２画像Ｇ２０は、第１画像Ｇ１０が読み取られた原稿と同じ原稿から前記読取処理によって読み取られた画像である。第２画像Ｇ２０では、搬送ローラー１４によって原稿が前記第１温度に冷却されることで、前記筆記具によって形成された後に加熱によって消去された筆跡が表れている。そのため、第２画像Ｇ２０では、加熱によって消去された筆跡の上に重ねて形成された筆跡（第１画像Ｇ１０に表れている筆跡）と、冷却により浮かび上がった筆跡とが重なって表れている。具体的に、第２画像Ｇ２０において、日付欄、及び数量欄において筆跡が重なって表れている。
【００４９】
また、図６には、前記読取処理によって原稿から読み取られる前記第３画像の一例が示されている。図６に示される第３画像Ｇ３０は、第１画像Ｇ１０及び第２画像Ｇ２０が読み取られた原稿と同じ原稿から前記読取処理によって読み取られた画像である。第３画像Ｇ３０では、搬送ローラー１５によって原稿が前記第２温度に加熱されることで、前記筆記具によって形成された筆跡が消えている。
【００５０】
検出処理部５２は、前記第２画像に含まれる前記第１画像とは異なる差分画像を検出する。
【００５１】
例えば、検出処理部５２は、前記第２画像に含まれる画素のうち、前記第１画像における対応画素との間の濃度値の差が予め定められた閾値を超える画素を差分画素として検出する。例えば、前記閾値は、画像読取部２の光源２２１の発光強度のバラつき、ＣＣＤ２６の受光感度のバラつき、第１撮像素子１８の発光部の発光強度のばらつき、及び第１撮像素子１８の受光部の受光感度のバラつき等に基づいて設定される。
【００５２】
そして、検出処理部５２は、前記第２画像における連続する前記差分画素を含む矩形状の領域を前記差分画像として検出する。例えば、検出処理部５２は、予め定められた範囲内に存在する二つの前記差分画素を連続する前記差分画素として認識する。例えば、予め定められた範囲は、５画素×５画素の正方形状の範囲である。また、検出処理部５２は、連続する前記差分画素を含む最小の矩形状の領域より予め定められた画素数だけ広い領域を前記差分画素として検出する。例えば、予め定められた画素数は５画素である。また、検出処理部５２は、隣接する前記差分画像各々を一つの前記差分画像として認識する。なお、前記予め定められた範囲、及び予め定められた画素数は、ユーザー操作に応じて任意に変更されてよい。
【００５３】
ここで、図７には、検出処理部５２によって検出される前記差分画像の一例が示されている。図７に示される差分画像Ｇ２１〜Ｇ２２は、第２画像Ｇ２０から検出される前記差分画像である。なお、図７では、差分画像Ｇ２１〜Ｇ２２各々の領域が破線によって示されている。
【００５４】
第１判定処理部５３は、前記差分画像が文字又は数字を含むか否かを判定する。
【００５５】
具体的に、第１判定処理部５３は、検出処理部５２によって検出される前記差分画像各々に対して、前記差分画像に含まれる文字を認識するＯＣＲ（光学文字認識）処理を実行する。そして、第１判定処理部５３は、前記ＯＣＲ処理の実行結果に基づいて、前記差分画像が文字又は数字を含むか否かを判定する。
【００５６】
ここで、原稿における前記筆記具によって形成された後に加熱によって消去された筆跡とその上に重ねて形成された筆跡との重なり合いにより、前記差分画像に含まれる文字又は数字を形成する線の一部が欠落することがある。そこで、第１判定処理部５３は、前記ＯＣＲ処理を実行する前に、前記差分画像における線の欠落箇所を補間する補間処理を実行する。例えば、前記補間処理では、検出処理部５２によって連続していると認識された二つの前記差分画素の間が前記差分画素と同じ濃度の画素で埋められる。これにより、前記ＯＣＲ処理による文字又は数字の認識精度が向上する。
【００５７】
第２判定処理部５４は、第１判定処理部５３によって文字を含むと判定された前記差分画像が予め定められた特定単語を含むか否かを判定する。
【００５８】
例えば、画像処理装置１０では、前記特定単語が予め記憶部７に記憶されている。例えば、前記特定単語は、実際に発生した文書の改ざん事例各々において改ざんの対象となった単語である。第２判定処理部５４は、前記差分画像に含まれる単語が前記特定単語として記憶部７に記憶されている場合に、前記差分画像が前記特定単語を含むと判定する。なお、第２判定処理部５４は、前記特定単語を記憶する記憶部を備える外部のサーバーに、前記差分画像に含まれる単語が前記特定単語に該当するか否かを問い合わせてもよい。
【００５９】
第３判定処理部５５は、第２判定処理部５４によって前記特定単語を含むと判定された前記差分画像の前記第２画像上の配置領域に対応する前記第１画像上の参照領域が、前記特定単語に関連する予め定められた関連単語を含むか否かを判定する。
【００６０】
例えば、画像処理装置１０では、前記特定単語各々に対応する前記関連単語が予め記憶部７に記憶されている。例えば、前記関連単語は、前記特定単語が「不合格」である場合の「合格」のように、前記特定単語と正反対の意味の単語である。
【００６１】
例えば、第３判定処理部５５は、前記参照領域に対して前記ＯＣＲ処理を実行する。そして、第３判定処理部５５は、前記ＯＣＲ処理の結果認識される前記参照領域に含まれる単語が前記特定単語に対応する前記関連単語として記憶部７に記憶されている場合に、前記参照領域が前記関連単語を含むと判定する。なお、第３判定処理部５５は、前記特定単語各々に対応する前記関連単語を記憶する記憶部を備える外部のサーバーに、前記参照領域に含まれる単語が前記関連単語に該当するか否かを問い合わせてもよい。
【００６２】
報知処理部５６は、検出処理部５２によって前記差分画像が検出された場合に、その旨を報知する。例えば、報知処理部５６は、前記差分画像が検出された旨を示すメッセージを操作表示部６に表示させて、前記差分画像が検出された旨を報知する。
【００６３】
ここで、報知処理部５６は、前記差分画像が検出された旨を報知すると共に、前記差分画像を操作表示部６に表示させる。ここに、操作表示部６が、本発明における表示部の一例である。
【００６４】
また、報知処理部５６は、第１判定処理部５３によって数字を含むと判定された前記差分画像を予め定められた表示態様で表示させる。例えば、報知処理部５６は、前記差分画像に含まれる数字の色を予め定められた色に変化させる。なお、報知処理部５６は、前記差分画像に含まれる数字を点滅させて表示させてもよい。また、報知処理部５６は、前記差分画像に含まれる数字のフォント又は文字サイズを変更してもよい。また、前記表示態様は、ユーザー操作に応じて任意に変更されてよい。
【００６５】
また、報知処理部５６は、第３判定処理部５５によって前記関連単語を含むと判定された前記参照領域に対応する前記差分画像を前記表示態様で表示させる。
【００６６】
なお、報知処理部５６は、第１判定処理部５３によって数字を含むと判定された前記差分画像、及び第２判定処理部５４によって前記特定単語を含むと判定された前記差分画像を前記表示態様で表示させてもよい。また、報知処理部５６は、第１判定処理部５３によって文字又は数字を含むと判定された前記差分画像を前記表示態様で表示させてもよい。
【００６７】
生成処理部５７は、前記第３画像における前記第２画像上の前記差分画像の配置領域に対応する置換領域に前記差分画像が重畳された重畳画像を生成する。
【００６８】
なお、生成処理部５７は、前記第１画像に含まれる前記第３画像とは異なる第２差分画像を検出して、前記第３画像における前記第１画像上の前記第２差分領域の配置領域に対応する領域のうち前記置換領域を除く領域に前記第２差分画像が重畳され、且つ前記置換領域に前記差分画像が重畳された第２重畳画像を生成してもよい。
【００６９】
出力処理部５８は、前記読取処理によって原稿から読み取られた前記第１画像を出力する。例えば、出力処理部５８は、前記第１画像を印刷して出力する。また、出力処理部５８は、前記第１画像に対応する画像データを記憶部７に記憶させてもよい。
【００７０】
また、出力処理部５８は、生成処理部５７によって生成される前記重畳画像を出力する。例えば、出力処理部５８は、前記重畳画像を印刷して出力する。また、出力処理部５８は、前記重畳画像に対応する画像データを記憶部７に記憶させてもよい。
【００７１】
駆動制御部５９は、前記読取処理が終了した場合に、冷却装置１４Ａの駆動を停止させて、冷却装置１４Ａの駆動停止時から予め定められた加熱時間の経過後に熱源１５Ａの駆動を停止させる。例えば、前記加熱時間は３分である。なお、前記加熱時間は、ユーザー操作に応じて任意に変更されてよい。
【００７２】
読取制御部６０は、前記読取処理の終了時から熱源１５Ａの駆動停止時までの間、ＡＤＦ１によって搬送される原稿の画像の読み取りを禁止する。
【００７３】
なお、制御部５は、第１判定処理部５３、第２判定処理部５４、第３判定処理部５５、生成処理部５７、出力処理部５８、駆動制御部５９、及び読取制御部６０のうちの一部又は全部を含んでいなくてもよい。
【００７４】
［変更検出処理］
以下、図８を参照しつつ、画像処理装置１０において制御部５により実行される変更検出処理の手順の一例と共に、本発明における画像読取方法について説明する。ここで、ステップＳ１１、Ｓ１２・・・は、制御部５により実行される処理手順（ステップ）の番号を表している。なお、前記変更検出処理は、操作表示部６におけるユーザー操作によって前記読取処理の実行が指示された場合に実行される。
【００７５】
＜ステップＳ１１＞
まず、ステップＳ１１において、制御部５は、冷却装置１４Ａを駆動させて搬送ローラー１４の温度を前記第１温度に冷却させると共に、熱源１５Ａを駆動させて搬送ローラー１５の温度を前記第２温度に加熱させる。
【００７６】
＜ステップＳ１２＞
ステップＳ１２において、制御部５は、ＡＤＦ１、第１撮像素子１８、画像読取部２、及び第２撮像素子１９を用いて、前記読取処理を実行する。これにより、原稿から前記第１画像、前記第２画像、及び前記第３画像が読み取られる。また、前記筆記具によって形成された筆跡が消えた原稿が排紙部１７に排出される。ここで、ステップＳ１１及びステップＳ１２の処理は、制御部５の読取処理部５１により実行される。
【００７７】
＜ステップＳ１３＞
ステップＳ１３において、制御部５は、ＡＤＦ１によって搬送される原稿の画像の読み取りを禁止する。
【００７８】
＜ステップＳ１４＞
ステップＳ１４において、制御部５は、冷却装置１４Ａの駆動を停止させる。一方、制御部５は、熱源１５Ａの駆動を継続させる。これにより、冷却装置１４Ａの冷気によって発生する結露により搬送路１２、第１撮像素子１８、及び第２撮像素子１９に付着した水分が、熱源１５Ａの熱により蒸発される。
【００７９】
＜ステップＳ１５＞
ステップＳ１５において、制御部５は、後述する差分画像検出処理を実行する。
【００８０】
＜ステップＳ１６＞
ステップＳ１６において、制御部５は、ステップＳ１４による冷却装置１４Ａの駆動停止時から前記加熱時間が経過したか否かを判断する。
【００８１】
ここで、制御部５は、冷却装置１４Ａの駆動停止時から前記加熱時間が経過したと判断すると（Ｓ１６のＹｅｓ側）、処理をステップＳ１７に移行させる。また、冷却装置１４Ａの駆動停止時から前記加熱時間が経過していなければ（Ｓ１６のＮｏ側）、制御部５は、ステップＳ１６で前記加熱時間の経過を待ち受ける。
【００８２】
＜ステップＳ１７＞
ステップＳ１７において、制御部５は、熱源１５Ａの駆動を停止させる。ここで、ステップＳ１４、ステップＳ１６、及びステップＳ１７の処理は、制御部５の駆動制御部５９により実行される。
【００８３】
＜ステップＳ１８＞
ステップＳ１８において、制御部５は、ステップＳ１３によるＡＤＦ１によって搬送される原稿の画像の読み取り禁止を解除する。ここで、ステップＳ１３及びステップＳ１８の処理は、制御部５の読取制御部６０により実行される。
【００８４】
これにより、冷却装置１４Ａの冷気によって発生する結露により搬送路１２、第１撮像素子１８、及び第２撮像素子１９に付着した水分が残存する間の原稿の読み取りが制限される。そのため、搬送路１２に付着した水分に起因する搬送路１２における紙詰まりの発生が抑制される。また、第１撮像素子１８、及び第２撮像素子１９に付着した水分に起因する読取画質の低下が抑制される。
【００８５】
なお、前記変更検出処理において、ステップＳ１３、ステップＳ１６、及びステップＳ１８の処理は省略されてもよい。
【００８６】
［差分画像検出処理］
次に、図９を参照しつつ、前記変更検出処理のステップＳ１５で実行される差分画像検出処理について説明する。
【００８７】
＜ステップＳ２１＞
まず、ステップＳ２１において、制御部５は、前記読取処理によって読み取られた前記第２画像に含まれる前記差分画像を検出する。ここに、ステップＳ２１の処理が、本発明における検出ステップの一例であって、制御部５の検出処理部５２により実行される。
【００８８】
＜ステップＳ２２＞
ステップＳ２２において、制御部５は、ステップＳ２１で前記差分画像が検出されたか否かを判断する。
【００８９】
ここで、制御部５は、ステップＳ２１で前記差分画像が検出されたと判断すると（Ｓ２２のＹｅｓ側）、処理をステップＳ２３に移行させる。また、ステップＳ２１で前記差分画像が検出されていなければ（Ｓ２２のＮｏ側）、制御部５は、処理をステップＳ３０に移行させる。
【００９０】
＜ステップＳ２３＞
ステップＳ２３において、制御部５は、ステップＳ２１で検出された前記差分画像が文字又は数字を含むか否かを判定する第１判定処理を実行する。ここで、ステップＳ２３の処理は、制御部５の第１判定処理部５３により実行される。
【００９１】
＜ステップＳ２４＞
ステップＳ２４において、制御部５は、ステップＳ２３で実行された前記第１判定処理によって前記差分画像が文字を含むと判定されたか否かを判断する。
【００９２】
ここで、制御部５は、前記第１判定処理によって前記差分画像が文字を含むと判定されたと判断すると（Ｓ２４のＹｅｓ側）、処理をステップＳ２５に移行させる。また、前記第１判定処理によって前記差分画像が文字を含むと判定されていなければ（Ｓ２４のＮｏ側）、制御部５は、処理をステップＳ２８に移行させる。
【００９３】
＜ステップＳ２５＞
ステップＳ２５において、制御部５は、ステップＳ２１で検出された前記差分画像が前記特定単語を含むか否かを判定する第２判定処理を実行する。ここで、ステップＳ２５の処理は、制御部５の第２判定処理部５４により実行される。
【００９４】
＜ステップＳ２６＞
ステップＳ２６において、制御部５は、ステップＳ２５で実行された前記第２判定処理によって前記差分画像が前記特定単語を含むと判定されたか否かを判断する。
【００９５】
ここで、制御部５は、前記第２判定処理によって前記差分画像が前記特定単語を含むと判定されたと判断すると（Ｓ２６のＹｅｓ側）、処理をステップＳ２７に移行させる。また、前記第２判定処理によって前記差分画像が前記特定単語を含むと判定されていなければ（Ｓ２６のＮｏ側）、制御部５は、処理をステップＳ２８に移行させる。
【００９６】
＜ステップＳ２７＞
ステップＳ２７において、制御部５は、ステップＳ２１で検出された前記差分画像の前記第２画像上の配置領域に対応する前記読取処理によって読み取られた前記第１画像上の前記参照領域が前記関連単語を含むか否かを判定する第３判定処理を実行する。ここで、ステップＳ２７の処理は、制御部５の第３判定処理部５５により実行される。
【００９７】
＜ステップＳ２８＞
ステップＳ２８において、制御部５は、前記差分画像が検出された旨を示すメッセージを操作表示部６に表示させて、前記差分画像が検出された旨を報知する。ここに、ステップＳ２８の処理が、本発明における報知ステップの一例であって、制御部５の報知処理部５６により実行される。
【００９８】
ここで、制御部５は、前記差分画像が検出された旨を報知すると共に、前記差分画像を操作表示部６に表示させる。これにより、画像処理装置１０のユーザーは、操作表示部６に表示される前記差分画像を見て、原稿上における前記筆記具によって形成された後に加熱によって消去された筆跡の内容を確認することが可能である。
【００９９】
また、制御部５は、ステップＳ２３で実行された前記第１判定処理によって数字を含むと判定された前記差分画像に含まれる数字の色を予め定められた色に変化させる。また、制御部５は、ステップＳ２７で実行された前記第３判定処理によって前記関連単語を含むと判定された前記参照領域に対応する前記差分画像に含まれる前記特定単語の色を予め定められた色に変化させる。これにより、原稿における改ざんが疑われる箇所が強調して表示される。そのため、文書内における改ざんが疑われる箇所を見つけ出すユーザーの手間が軽減される。
【０１００】
＜ステップＳ２９＞
ステップＳ２９において、制御部５は、前記読取処理によって読み取られた前記第３画像における前記置換領域に前記差分画像が重畳された前記重畳画像を生成する。ここで、ステップＳ２９の処理は、制御部５の生成処理部５７により実行される。
【０１０１】
＜ステップＳ３０＞
ステップＳ３０において、制御部５は、前記読取処理によって読み取られた前記第１画像を印刷して出力する。ここで、ステップＳ３０の処理は、制御部５の出力処理部５８により実行される。これにより、ユーザーは、排紙部１７に排出される前記筆記具によって形成された筆跡が消えた原稿に替えて、前記読取処理の実行前の状態の原稿のコピーを取得することが可能である。即ち、ユーザーにおいて、前記読取処理の実行前の状態の原稿を失うことが回避される。
【０１０２】
また、制御部５は、ステップＳ２９の処理が実行された場合には、ステップＳ２９で生成された前記重畳画像を印刷して出力する。これにより、ユーザーは、前記筆記具によって形成された筆跡が加熱によって消去されて変更される前の状態の原稿のコピーを取得することが可能である。
【０１０３】
なお、前記差分画像検出処理において、ステップＳ２３〜ステップＳ２７、及びステップＳ２９〜ステップＳ３０の一部又は全部の処理は省略されてもよい。
【０１０４】
このように、画像処理装置１０では、原稿の冷却後に読み取られる前記第２画像に含まれる、原稿の冷却前に読み取られる前記第１画像とは異なる前記差分画像が検出された場合に、その旨が報知される。これにより、ユーザーは、前記筆記具による筆跡が消去されて文書が変更されたことを認識することが可能である。従って、文書が改ざんされたか否かの判断材料をユーザーに提供することが可能である。
【符号の説明】
【０１０５】
１    ＡＤＦ
２    画像読取部
３    画像形成部
４    給紙部
５    制御部
６    操作表示部
７    記憶部
８    接続部
１０  画像処理装置
１１  原稿載置部
１２  搬送路
１３〜１５  搬送ローラー
１４Ａ  冷却装置
１５Ａ  熱源
１６  原稿ガイド
１７  排紙部
１８  第１撮像素子
１９  第２撮像素子
５１  読取処理部
５２  検出処理部
５３  第１判定処理部
５４  第２判定処理部
５５  第３判定処理部
５６  報知処理部
５７  生成処理部
５８  出力処理部
５９  駆動制御部
６０  読取制御部
【図１】
2018093307.tif 000003
【図２】
2018093307.tif 000004
【図３】
2018093307.tif 000005
【図４】
2018093307.tif 000006
【図５】
2018093307.tif 000007
【図６】
2018093307.tif 000008
【図７】
2018093307.tif 000009
【図８】
2018093307.tif 000010
【図９】
2018093307.tif 000011